(57)【要約】      （修正有）【課題】支柱に対して容易に着脱することができる支持具を提供する。【解決手段】上下方向に延在する支柱に対して取り付けられる支持具１００である。上下方向に延在する弾性材で構成された筒状部１１と、筒状部１１の周壁を周方向に部分的に切り欠いて形成したスリット１２とを有し、スリット１２の幅寸法が支柱の径寸法よりも小さく形成されている取付部１と、基端部が筒状部１１に連設され、上下方向から見て筒状部１１の径方向に延在する支持アーム２と、を備える。【選択図】図１
0003186194.tif 000002
【実用新案登録請求の範囲】
【請求項１】
上下方向に延在する支柱に対して取り付けられる支持具であって、
上下方向に延在する弾性材で構成された筒状部と、前記筒状部の周壁を周方向に部分的に切り欠いて形成したスリットとを有し、該スリットの幅寸法が前記支柱の径寸法よりも小さく形成されている取付部と、
基端部が前記筒状部に連設され、上下方向から見て前記筒状部の径方向に延在する支持アームと、を備える、支持具。
【請求項２】
前記支柱は、該支柱の外周面の周方向に延在する凹溝を有し、
前記筒状部は、前記支柱の凹溝に嵌合する該筒状部の内周面の周方向に延在する凸条を有する、請求項１に記載の支持具。
【請求項３】
前記スリットは、上下方向から見た前記支持アームの延在方向と直交する平面であって前記筒状部の軸線を含む平面よりも前記支持アームが位置する側に形成されている、請求項１又は２に記載の支持具。
【請求項４】
前記筒状部は、前記支持アームが連接されている部分から前記スリットに向かって延びる延長部を有する、請求項１乃至３の何れかに記載の支持具。
【考案の詳細な説明】
【技術分野】
【０００１】
本考案は、被支持物を支持する支持具に関する。
【背景技術】
【０００２】
従来から組立式の棚等の支柱に取り付けられて用いられる支持機構が知られている（例えば特許文献１参照）。
【０００３】
この支持機構は、外周面が下方に向け拡径する円錐状に形成されたスリーブと、内周面がスリーブの外周面に対応するテーパ状に形成された筒状体とを備える。そして、筒状体には、支柱の外径よりも大きく、かつスリーブの最大外径よりも小さい幅で、筒状体の両端にわたって切り欠いてなるスリットが設けられている。これによって、スリットを通じて、支柱を筒状体内に配置することができ、支持機構が適用されたクロスバー等の着脱を容易かつ迅速に行うことができる。
【先行技術文献】
【特許文献】
【０００４】
【特許文献１】特開平１１−２９０１４２号公報
【考案の概要】
【考案が解決しようとする課題】
【０００５】
しかし、特許文献１に記載の支持機構は、スリーブを取り付けた上で、筒状体を有するクロスバー等をスリーブに嵌着させる必要があり、支持機構が適用されたクロスバー等の着脱に手間取っていた。また、支柱に取り付けられたスリーブが、筒状体の嵌着前に外れて落下する場合があり、筒状体の着脱に困難を伴う場合があった。更に、筒状体とスリーブとが別体であるために、棚等から取り外して保管する際に、スリーブを紛失し易いという問題があった。
【課題を解決するための手段】
【０００６】
上記課題を解決するため、本考案のある態様に係る支持具は、上下方向に延在する支柱に対して取り付けられる支持具であって、上下方向に延在する弾性材で構成された筒状部と、前記筒状部の周壁を周方向に部分的に切り欠いて形成したスリットとを有し、該スリットの幅寸法が前記支柱の径寸法よりも小さく形成されている取付部と、基端部が前記筒状部に連設され、上下方向から見て前記筒状部の径方向に延在する支持アームと、を備える。
【０００７】
この構成によれば、スリットを押し拡げることによって、スリットを通じて支持具を支柱に取り付けることができる。また、支柱に取り付けられた支持具は、スリットを押し拡げることによって、このスリットを通じて支柱から取り外すことができる。したがって、支柱に支持具を容易に着脱することができる。また、支柱から取り外した支持具の保管も容易である。
【０００８】
前記支柱は、該支柱の外周面の周方向に延在する凹溝を有し、前記筒状部は、前記支柱の凹溝に嵌合する該筒状部の内周面の周方向に延在する凸条を有していてもよい。
【０００９】
この構成によれば、支持具の支柱の延在方向への移動を規制することができる。
【００１０】
前記スリットは、上下方向から見た前記支持アームの延在方向と直交する平面であって前記筒状部の軸線を含む平面よりも前記支持アームが位置する側に形成されていてもよい。
【００１１】
この構成によれば、スリットを通じて支持具が支柱から外れ、支持具が支柱から脱落することを防止することができる。
【００１２】
前記筒状部は、前記支持アームが連接されている部分から前記スリットに向かって延びる延長部を有していてもよい。
【００１３】
この構成によれば、支持アームがその基端部で腰折れすることを防止することができる。
【考案の効果】
【００１４】
本考案は、支持具を支柱に対して容易に着脱することができるという効果を奏する。
【図面の簡単な説明】
【００１５】
【図１】本考案の実施の形態に係る支持具の構成例を示す斜視図である。
【図２】図１の支持具の構成例を示す平面図である。
【図３】図１の支持具の構成例を示すＡ−Ａ矢視図である。
【図４】図１の支持具の使用例を示す図である。
【考案を実施するための形態】
【００１６】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１７】
（実施の形態）
図１は、本考案の実施の形態に係る支持具１００の構成例を示す斜視図である。図２は、支持具１００の構成例を示す平面図である。図３は、支持具１００の構成例を示すＡ−Ａ矢視図である。
【００１８】
図１〜図３に示すように、支持具１００は、取付部１と、支持アーム２とを備える。
【００１９】
支持具１００は、上下方向に延在する支柱１１０（図４参照）に対して取り付けられて用いられるものである。本実施の形態において、支柱１１０は、外周面が円筒状に形成され、その径が２５ｍｍに形成されているものを例示しているがこれに限られるものではない。例えば、外周面が角筒状に形成されていてもよい。
【００２０】
取付部１は、筒状部１１と、スリット１２とを有する。
【００２１】
筒状部１１は、上下方向に延在する筒状に形成されている。また、筒状部１１は、弾性材で構成され、弾性変形可能に構成されている。弾性材として、例えば、ポリプロピレン等の樹脂材が例示されるがこれに限られるものではない。
【００２２】
そして、筒状部１１は、本実施の形態において、支柱１１０の外周面の形状に対応して、内周面が円筒状に形成されているものを例示している。そして、筒状部１１の内周面の径は、支柱１１０と略同一に規定されている。本実施の形態においては、筒状部１１の内周面の径がおよそ２５ｍｍに形成されているものを例示しているがこれに限定されるものではない。
【００２３】
また、本実施の形態において、上述の通り内周面が円筒状に形成されているものを例示したが、これに限られるものではない。例えば、外周面の形状が角筒状に形成されている支柱に適用される支持具１００においては、筒状部１１の内周面が角筒状に形成されていてもよい。更に、筒状部１１の内周面の形状は、支柱１１０の外周面の形状に対応して形成されていなくてもよい。
【００２４】
また、筒状部１１の上端縁及び下端縁から径方向外側に突出するフランジ部１３が形成されている。
【００２５】
更に、筒状部１１は、図４に示す支柱１１０の凹溝１１１に嵌合する凸条１４を有する。凸条１４は、筒状部１１の内周面の周方向に延在し、内周面から突出するように形成されている。
【００２６】
スリット１２は、筒状部１１の周壁を周方向に部分的に切り欠いて形成されている。そして、スリット１２の幅寸法は、支柱１１０の径寸法よりも小さく形成されている。
【００２７】
そして、図２に示すように、スリット１２は、上下方向から見た支持アーム２の延在方向に直交する平面であって筒状部１１の軸線Ｌを含む平面Ｓよりも支持アーム２が位置する側に形成されている。更に、上下方向から見て、スリット１２の支持アーム２側の端１２ａは、支持アーム２の延在方向において、支持アーム２の基端部２ａよりも筒状部１１の軸線Ｌが位置する側に位置する。これによって、筒状部１１の支持アーム２の基端部が連接されている部分からスリット１２の支持アーム２側の端１２ａに向かって延びる延長部１１ａが形成されている。
【００２８】
また、本実施の形態において、筒状部１１の内周面には、滑り止め部１５が設けられているものを例示している。滑り止め部１５は、上側滑り止め１５ａ及び下側滑り止め１５ｂを含み、それぞれ筒状部１１の内周面の上端部及び下端部に沿って、周方向に延在するように貼着されている。これによって、滑り止め部１５は、筒状部１１の内周面から内側に突出するように形成され、その内径は、支柱の径よりも若干小さくなるように構成されている。上側滑り止め１５ａ及び下側滑り止め１５ｂは、例えばゴム材である。
【００２９】
支持アーム２は、例えば、鞄等の被支持物を引っ掛けることができるものであり、基端部２ａが筒状部１１の外周面に連設され、上下方向から見て筒状部１１の径方向に延在する。
【００３０】
本実施の形態において、支持アーム２は、短冊状に形成されているものを例示している。また、支持アーム２は、先端部２ｂが自由端であり、片持ちばり構造となるように形成されているものを例示している。そして、支持アーム２の先端部は基端部よりも上方に位置するように傾斜している。これによって、支持アーム２に引掛けた被支持物が先端部に向かってずり落ちるように移動して脱落しないようになっている。
【００３１】
更に、支持アーム２の上端縁２ｃは、凹部と凸部とが互い違いに連続して形成されている。これによって、支持アーム２に引掛けた被支持物は、上端縁２ｃの凹部に位置し、ここから被支持物がずれて移動しないようになっている。
【００３２】
（使用例）
次に、支持具１００の使用例を説明する。
【００３３】
図４は、支持具１００の使用例を示す図である。
【００３４】
本実施の形態において、支柱１１０は、上述の通り、上下方向に延在し、外周面が円筒状に形成されている。また、支柱１１０の径は、２５ｍｍに形成されている。そして、支柱１１０は、所定の間隔で形成された複数の凹溝１１１を有する。各凹溝１１１は、支柱１１０の延在方向と直交する平面上に位置するように形成されている。
【００３５】
そして、支持具１００を支柱１１０に取り付けるときは、まず、支柱１１０に支持具１００のスリット１２をあてがう。また、支柱１１０の何れかの凹溝１１１と、支持具１００の凸条１４との高さ位置が一致するように支持具１００を位置させる。
【００３６】
次に、筒状部１１の軸線が支柱１１０の軸線に向かって移動し、支持具１００の筒状部１１の内部に支柱１１０が位置するように、支柱１１０に対して支持具１００を押し込む。これによって、筒状部１１が弾性変形し、支柱１１０の径寸法よりも小さく形成されているスリット１２の幅が支柱１１０の径寸法まで拡がる。よって、スリット１２を通じて筒状部１１の内部に支柱１１０を位置させることができる。そして、筒状部１１の内部に支柱１１０が位置すると、弾性変形した筒状部１１の復元力によって、スリット１２の幅が元の寸法に戻るように変形する。これによって、支持具１００は、支柱１１０に嵌着される。そして、筒状部１１の内周面の径は、支柱１１０と略同一に規定されているので、筒状部１１の内周面は、支柱１１０の外周面に押し当てられる。
【００３７】
そして、支柱１１０の凹溝１１１に支持具１００の凸条１４が係合し、これによって、支持具１００の支柱１１０の延在方向への移動が規制される。したがって、支持アーム２に被支持物を引っ掛けても、支持具１００が下方にずれ落ちないようになっている。また、筒状部１１の復元力によって、滑り止め部１５が支柱１１０の外周面に押し当てられ、滑り止め部１５と支柱１１０との間に働く摩擦力によって、支持具１００が支柱１１０に対してずれ落ちることを更に阻止している。
【００３８】
次に、被支持物を支持アーム２に引掛ける。上述の通り、スリット１２は、平面Ｓよりも支持アーム２が位置する側に形成されているので、被支持物の荷重の影響によって筒状部１１が変形し、スリット１２が拡がった場合においても、当該荷重は、平面Ｓよりも取付部１が位置する側と反対側の部分１１ｂによって支持される。よって、スリット１２を通じて支持具１００が支柱１１０から外れ、支持具１００が支柱１１０から脱落することを防止することができる。
【００３９】
また、延長部１１ａが形成されているので、支持アーム２の基端部は、延長部１１ａによって支持される。よって、支持アーム２が基端部で腰折れすることを防止することができる。
【００４０】
以上に説明したように、本考案の支持具１００は、弾性材で構成された筒状部１１と、筒状部１１の周壁を周方向に部分的に切り欠かいて形成したスリット１２とを有し、スリット１２の幅寸法が支柱１１０の径寸法よりも小さく形成されているので、スリット１２を押し拡げることによって、このスリット１２を通じて筒状部１１の内部に支柱１１０を位置させ、支持具１００を支柱１１０に取り付けることができる。また、支柱１１０に取り付けられた支持具１００は、スリット１２を押し拡げることによって、このスリット１２を通じて支柱１１０から取り外すことができる。したがって、支柱１１０に支持具１００を容易に着脱することができる。また、支柱１１０から取り外した支持具１００の保管も容易である。
【００４１】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４２】
本件考案は、被支持物を支持する支持具に適用することができる。
【符号の説明】
【００４３】
１  取付部
２  支持アーム
１１  筒状部
１１ａ  延長部
１２  スリット
１３  フランジ部
１４  凸条
１５  滑り止め部
１５ａ  上側滑り止め
１５ｂ  下側滑り止め
１００  支持具
１１０  支柱
１１１  凹溝
【図１】
0003186194.tif 000003
【図２】
0003186194.tif 000004
【図３】
0003186194.tif 000005
【図４】
0003186194.tif 000006